(57)【要約】【課題】描画像に基づく画像検索を行う画像処理においてユーザー利便性を向上させる。【解決手段】画像検索を行う画像処理装置は、描画指示に応じて描画像を生成する描画処理部と、所定の記憶領域に格納された他の描画像である履歴描画像から、所定の特徴に関して生成された描画像と類似する履歴描画像を検出する履歴描画像処理部と、検出された履歴描画像に基づき画像検索の基準としてのクエリー画像を設定し、クエリー画像に基づき画像検索を行う画像検索部と、を備える。【選択図】図５
2011008521.tif 000002
【特許請求の範囲】
【請求項１】
画像検索を行う画像処理装置であって、
描画指示を取得し、前記描画指示に応じて描画像を生成する描画処理部と、
所定の記憶領域に格納された他の描画像である履歴描画像から、所定の特徴に関して前記生成された描画像と類似する前記履歴描画像を検出する履歴描画像処理部と、
検出された前記履歴描画像に基づき画像検索の基準としてのクエリー画像を設定し、前記クエリー画像に基づき画像検索を行う画像検索部と、を備える、画像処理装置。
【請求項２】
請求項１に記載の画像処理装置であって、さらに、
前記生成された描画像と検出された前記履歴描画像とを表示する表示部を備え、
前記履歴描画像処理部は、表示された前記履歴描画像の１つを選択する選択指示を取得し、
前記画像検索部は、選択された前記履歴描画像に基づき前記クエリー画像を設定する、画像処理装置。
【請求項３】
請求項２に記載の画像処理装置であって、
前記画像検索部は、選択された前記履歴描画像を前記クエリー画像として設定する、画像処理装置。
【請求項４】
請求項２に記載の画像処理装置であって、
前記描画処理部は、選択された前記履歴描画像をベースとして描画を行うことにより新たな描画像を生成し、
前記画像検索部は、前記生成された新たな描画像を前記クエリー画像として設定する、画像処理装置。
【請求項５】
請求項１ないし請求項４のいずれかに記載の画像処理装置であって、
前記履歴描画像処理部は、前記生成された描画像を前記履歴描画像として前記記憶領域に格納する、画像処理装置。
【請求項６】
請求項５に記載の画像処理装置であって、さらに、
ユーザーを特定するユーザー情報を取得するユーザー情報取得部を備え、
前記履歴描画像処理部は、前記履歴描画像を前記ユーザー情報と対応付けて前記記憶領域に格納すると共に、前記生成された描画像と類似する前記履歴描画像の検出を、描画像生成時のユーザーと同一のユーザーを示す前記ユーザー情報に対応付けられた前記履歴描画像を対象に実行する、画像処理装置。
【請求項７】
請求項６に記載の画像処理装置であって、
前記履歴描画像処理部は、前記生成された描画像と前記履歴描画像とのそれぞれの描画経過における特徴の類似の程度に基づき、前記履歴描画像の検出を行う、画像処理装置。
【請求項８】
請求項５に記載の画像処理装置であって、さらに、
ユーザーを特定するユーザー情報を取得するユーザー情報取得部を備え、
前記履歴描画像処理部は、前記履歴描画像を前記ユーザー情報と対応付けて前記記憶領域に格納すると共に、前記生成された描画像と類似する前記履歴描画像の検出の際に、描画像生成時のユーザーと同一のユーザーを示す前記ユーザー情報に対応付けられた前記履歴描画像については描画経過における特徴の類似の程度に基づき検出を行い、描画像生成時のユーザーと異なるユーザーを示す前記ユーザー情報に対応付けられた前記履歴描画像については描画経過における特徴の類似の程度を考慮せずに検出を行う、画像処理装置。
【請求項９】
請求項２に記載の画像処理装置であって、さらに、
所定の記憶領域から、表示された前記履歴描画像の中から選択された前記履歴描画像の描画経過の各段階における画像である経過画像を検出する経過画像処理部を備え、
前記表示部は、検出された前記経過画像を表示し、
前記経過画像処理部は、表示された前記経過画像の１つを選択する選択指示を取得し、
前記画像検索部は、選択された前記経過画像に基づき前記クエリー画像を設定する、画像処理装置。
【請求項１０】
請求項９に記載の画像処理装置であって、
前記描画処理部は、選択された前記経過画像をベースとして描画を行うことにより新たな描画像を生成し、
前記画像検索部は、生成された前記新たな描画像を前記クエリー画像として設定する、画像処理装置。
【請求項１１】
請求項９または請求項１０に記載の画像処理装置であって、
前記経過画像処理部は、前記生成された描画像の描画経過の各段階における画像を前記経過画像として前記記憶領域に格納する、画像処理装置。
【請求項１２】
請求項２に記載の画像処理装置であって、
前記表示部は、検出された前記履歴描画像を前記生成された描画像と重ねて表示する、画像処理装置。
【請求項１３】
請求項１ないし請求項１２のいずれかに記載の画像処理装置であって、
前記画像検索部は、予め設定されたタイミングで画像検索を行い、
前記表示部は、画像検索により検出された検出画像を、前記生成された描画像と検出された前記履歴描画像と同時に表示する、画像処理装置。
【請求項１４】
請求項１ないし請求項１３のいずれかに記載の画像処理装置であって、さらに、
画像検索により検出された検出画像の中から印刷すべき検出画像を設定する印刷画像設定部と、
印刷すべき検出画像の印刷を行う印刷部と、を備える、画像処理装置。
【請求項１５】
画像検索を行う画像処理方法であって、
（ａ）描画指示を取得し、前記描画指示に応じて描画像を生成する工程と、
（ｂ）所定の記憶領域に格納された他の描画像である履歴描画像から、所定の特徴に関して前記生成された描画像と類似する前記履歴描画像を検出する工程と、
（ｃ）検出された前記履歴描画像に基づき画像検索の基準としてのクエリー画像を設定し、前記クエリー画像に基づき画像検索を行う工程と、を備える、画像処理方法。
【請求項１６】
画像検索を行う画像処理のためのコンピュータープログラムであって、
描画指示を取得し、前記描画指示に応じて描画像を生成する描画処理機能と、
所定の記憶領域に格納された他の描画像である履歴描画像から、所定の特徴に関して前記生成された描画像と類似する前記履歴描画像を検出する履歴描画像処理機能と、
検出された前記履歴描画像に基づき画像検索の基準としてのクエリー画像を設定し、前記クエリー画像に基づき画像検索を行う画像検索機能と、を、コンピューターに実現させる、コンピュータープログラム。
【請求項１７】
印刷装置であって、
描画指示を取得し、前記描画指示に応じて描画像を生成する描画処理部と、
所定の記憶領域に格納された他の描画像である履歴描画像から、所定の特徴に関して前記生成された描画像と類似する前記履歴描画像を検出する履歴描画像処理部と、
検出された前記履歴描画像に基づき画像検索の基準としてのクエリー画像を設定し、前記クエリー画像に基づき画像検索を行う画像検索部と、
画像検索により検出された検出画像の中から印刷すべき検出画像を設定する印刷画像設定部と、
印刷すべき検出画像の印刷を行う印刷部と、を備える、印刷装置。
【発明の詳細な説明】
【技術分野】
【０００１】
本発明は、画像検索を行う画像処理に関する。
【背景技術】
【０００２】
ユーザーの入力操作に応じて描かれた描画像に基づき画像を検索する画像処理が知られている（例えば特許文献１参照）。
【先行技術文献】
【特許文献】
【０００３】
【特許文献１】特開２００３−３１６８０４号公報
【発明の概要】
【発明が解決しようとする課題】
【０００４】
従来、描画像に基づく画像検索では、ユーザー利便性の点で向上の余地があった。例えば、描画操作は正確な再現が困難であるため、描画像に基づく画像検索では、過去の画像検索において検出された画像を再度検出することが困難となる場合があった。
【０００５】
本発明は、上記の課題を解決するためになされたものであり、描画像に基づく画像検索を行う画像処理においてユーザー利便性を向上させることを目的とする。
【課題を解決するための手段】
【０００６】
上記課題の少なくとも一部を解決するために、本発明は、以下の形態または適用例として実現することが可能である。
【０００７】
［適用例１］画像検索を行う画像処理装置であって、
描画指示を取得し、前記描画指示に応じて描画像を生成する描画処理部と、
所定の記憶領域に格納された他の描画像である履歴描画像から、所定の特徴に関して前記生成された描画像と類似する前記履歴描画像を検出する履歴描画像処理部と、
検出された前記履歴描画像に基づき画像検索の基準としてのクエリー画像を設定し、前記クエリー画像に基づき画像検索を行う画像検索部と、を備える、画像処理装置。
【０００８】
この画像処理装置では、描画指示に応じて描画像が生成され、所定の特徴に関して生成された描画像と類似する履歴描画像が検出され、検出された履歴描画像に基づき画像検索の基準としてのクエリー画像が設定されて画像検索が行われるため、例えば過去の画像検索において検出された画像を再度検出することが容易に実現でき、描画像に基づく画像検索を行う画像処理においてユーザー利便性を向上させることができる。
【０００９】
［適用例２］適用例１に記載の画像処理装置であって、さらに、
前記生成された描画像と検出された前記履歴描画像とを表示する表示部を備え、
前記履歴描画像処理部は、表示された前記履歴描画像の１つを選択する選択指示を取得し、
前記画像検索部は、選択された前記履歴描画像に基づき前記クエリー画像を設定する、画像処理装置。
【００１０】
この画像処理装置では、生成された描画像と検出された履歴描画像とが表示され、表示された履歴描画像の１つが選択され、選択された履歴描画像に基づきクエリー画像が設定されるため、描画像に基づく画像検索を行う画像処理においてユーザー利便性を向上させることができる。
【００１１】
［適用例３］適用例２に記載の画像処理装置であって、
前記画像検索部は、選択された前記履歴描画像を前記クエリー画像として設定する、画像処理装置。
【００１２】
この画像処理装置では、選択された履歴描画像をクエリー画像として設定することができ、描画像に基づく画像検索を行う画像処理においてユーザー利便性を向上させることができる。
【００１３】
［適用例４］適用例２に記載の画像処理装置であって、
前記描画処理部は、選択された前記履歴描画像をベースとして描画を行うことにより新たな描画像を生成し、
前記画像検索部は、前記生成された新たな描画像を前記クエリー画像として設定する、画像処理装置。
【００１４】
この画像処理装置では、選択された履歴描画像をベースとして描画を行うことにより新たな描画像が生成され、生成された新たな描画像がクエリー画像として設定されるため、例えば過去の画像検索において利用されたクエリー画像に変更を加えた画像を新たなクエリー画像とすることができ、描画像に基づく画像検索を行う画像処理においてユーザー利便性を向上させることができる。
【００１５】
［適用例５］適用例１ないし適用例４のいずれかに記載の画像処理装置であって、
前記履歴描画像処理部は、前記生成された描画像を前記履歴描画像として前記記憶領域に格納する、画像処理装置。
【００１６】
この画像処理装置では、生成された描画像が履歴描画像として記憶領域に格納されるため、生成された描画像と類似する履歴描画像を、記憶領域に格納された履歴描画像から検出することができる。
【００１７】
［適用例６］適用例５に記載の画像処理装置であって、さらに、
ユーザーを特定するユーザー情報を取得するユーザー情報取得部を備え、
前記履歴描画像処理部は、前記履歴描画像を前記ユーザー情報と対応付けて前記記憶領域に格納すると共に、前記生成された描画像と類似する前記履歴描画像の検出を、描画像生成時のユーザーと同一のユーザーを示す前記ユーザー情報に対応付けられた前記履歴描画像を対象に実行する、画像処理装置。
【００１８】
この画像処理装置では、履歴描画像がユーザー情報と対応付けて記憶領域に格納されると共に、生成された描画像と類似する履歴描画像の検出が、描画像生成時のユーザーと同一のユーザーを示すユーザー情報に対応付けられた履歴描画像を対象に実行されるため、ユーザーは所望のクエリー画像を効率的に設定することができ、描画像に基づく画像検索を行う画像処理においてユーザー利便性を向上させることができる。
【００１９】
［適用例７］適用例６に記載の画像処理装置であって、
前記履歴描画像処理部は、前記生成された描画像と前記履歴描画像とのそれぞれの描画経過における特徴の類似の程度に基づき、前記履歴描画像の検出を行う、画像処理装置。
【００２０】
この画像処理装置では、ユーザーが所望する履歴描画像をより精度良く効率的に検出することができ、描画像に基づく画像検索を行う画像処理においてユーザー利便性を向上させることができる。
【００２１】
［適用例８］適用例５に記載の画像処理装置であって、さらに、
ユーザーを特定するユーザー情報を取得するユーザー情報取得部を備え、
前記履歴描画像処理部は、前記履歴描画像を前記ユーザー情報と対応付けて前記記憶領域に格納すると共に、前記生成された描画像と類似する前記履歴描画像の検出の際に、描画像生成時のユーザーと同一のユーザーを示す前記ユーザー情報に対応付けられた前記履歴描画像については描画経過における特徴の類似の程度に基づき検出を行い、描画像生成時のユーザーと異なるユーザーを示す前記ユーザー情報に対応付けられた前記履歴描画像については描画経過における特徴の類似の程度を考慮せずに検出を行う、画像処理装置。
【００２２】
この画像処理装置では、ユーザーが所望する履歴描画像をより精度良く効率的に検出することができ、描画像に基づく画像検索を行う画像処理においてユーザー利便性を向上させることができる。
【００２３】
［適用例９］適用例２に記載の画像処理装置であって、さらに、
所定の記憶領域から、表示された前記履歴描画像の中から選択された前記履歴描画像の描画経過の各段階における画像である経過画像を検出する経過画像処理部を備え、
前記表示部は、検出された前記経過画像を表示し、
前記経過画像処理部は、表示された前記経過画像の１つを選択する選択指示を取得し、
前記画像検索部は、選択された前記経過画像に基づき前記クエリー画像を設定する、画像処理装置。
【００２４】
この画像処理装置では、選択された履歴描画像の描画経過の各段階における画像である経過画像が検出され、経過画像の１つが選択され、選択された経過画像に基づきクエリー画像が設定されるため、ユーザーが所望するクエリー画像を効率的に設定することができ、描画像に基づく画像検索を行う画像処理においてユーザー利便性を向上させることができる。
【００２５】
［適用例１０］適用例９に記載の画像処理装置であって、
前記描画処理部は、選択された前記経過画像をベースとして描画を行うことにより新たな描画像を生成し、
前記画像検索部は、生成された前記新たな描画像を前記クエリー画像として設定する、画像処理装置。
【００２６】
この画像処理装置では、例えば、過去の画像検索において利用されたクエリー画像の描画経過における画像（経過画像）をベースとして描画を行うことによりクエリー画像を設定することができ、描画像に基づく画像検索を行う画像処理においてユーザー利便性を向上させることができる。
【００２７】
［適用例１１］適用例９または適用例１０に記載の画像処理装置であって、
前記経過画像処理部は、前記生成された描画像の描画経過の各段階における画像を前記経過画像として前記記憶領域に格納する、画像処理装置。
【００２８】
この画像処理装置では、生成された描画像の描画経過の各段階における画像が経過画像として記憶領域に格納されるため、経過画像をベースとして描画を行うことによりクエリー画像を設定することができる。
【００２９】
［適用例１２］適用例２に記載の画像処理装置であって、
前記表示部は、検出された前記履歴描画像を前記生成された描画像と重ねて表示する、画像処理装置。
【００３０】
この画像処理装置では、履歴描画像を描画像との比較を通じて容易に選択することができ、描画像に基づく画像検索を行う画像処理においてユーザー利便性を向上させることができる。
【００３１】
［適用例１３］適用例１ないし適用例１２のいずれかに記載の画像処理装置であって、
前記画像検索部は、予め設定されたタイミングで画像検索を行い、
前記表示部は、画像検索により検出された検出画像を、前記生成された描画像と検出された前記履歴描画像と同時に表示する、画像処理装置。
【００３２】
この画像処理装置では、描画から画像検索までの一連の処理結果を同時に表示することができ、描画像に基づく画像検索を行う画像処理においてユーザー利便性を向上させることができる。
【００３３】
［適用例１４］適用例１ないし適用例１３のいずれかに記載の画像処理装置であって、さらに、
画像検索により検出された検出画像の中から印刷すべき検出画像を設定する印刷画像設定部と、
印刷すべき検出画像の印刷を行う印刷部と、を備える、画像処理装置。
【００３４】
この画像処理装置では、描画像に基づく画像検索を行うと共に検出された画像を印刷する画像処理においてユーザー利便性を向上させることができる。
【００３５】
なお、本発明は、種々の態様で実現することが可能であり、例えば、画像処理方法および装置、画像検索方法および装置、印刷方法および装置、これらの方法または装置の機能を実現するためのコンピュータープログラム、そのコンピュータープログラムを記録した記録媒体、そのコンピュータープログラムを含み搬送波内に具現化されたデータ信号、等の形態で実現することができる。
【図面の簡単な説明】
【００３６】
【図１】本発明の実施例における画像処理装置としてのプリンター１００の構成を概略的に示す説明図である。
【図２】実施例における画像検索・印刷処理の流れを示すフローチャートである。
【図３】初期ウィンドウＷ１の一例を示す説明図である。
【図４】クエリー画像設定処理の流れを示すフローチャートである。
【図５】初期ウィンドウＷ１の一例を示す説明図である。
【図６】初期ウィンドウＷ１の一例を示す説明図である。
【図７】初期ウィンドウＷ１の一例を示す説明図である。
【図８】初期ウィンドウＷ１の一例を示す説明図である。
【図９】検索結果ウィンドウＷ２の一例を示す説明図である。
【図１０】変形例における初期ウィンドウＷ１ａの一例を示す説明図である。
【図１１】描画操作の特徴を示す説明図である。
【図１２】変形例における初期ウィンドウＷ１ａの一例を示す説明図である。
【図１３】変形例における初期ウィンドウＷ１ａの一例を示す説明図である。
【発明を実施するための形態】
【００３７】
次に、本発明の実施の形態を実施例に基づいて以下の順序で説明する。
Ａ．実施例：
Ａ−１．画像処理装置の構成：
Ａ−２．画像検索・印刷処理：
Ｂ．変形例：
【００３８】
Ａ．実施例：
Ａ−１．画像処理装置の構成：
図１は、本発明の実施例における画像処理装置としてのプリンター１００の構成を概略的に示す説明図である。本実施例のプリンター１００は、メモリーカードＭＣ等から取得した画像データに基づき画像を印刷する、いわゆるダイレクトプリントに対応したインクジェット式カラープリンターである。プリンター１００は、プリンター１００の各部を制御するＣＰＵ１１０と、ＲＯＭやＲＡＭによって構成された内部メモリー１２０と、ボタンやタッチパネルにより構成された操作部１４０と、液晶ディスプレイにより構成された表示部１５０と、プリンターエンジン１６０と、カードインターフェース（カードＩ／Ｆ）１７０と、を備えている。プリンター１００は、さらに、他の機器（例えばデジタルスチルカメラやパーソナルコンピューター）との通信を行うためのインターフェースを備えているとしてもよい。プリンター１００の各構成要素は、バスを介して互いに接続されている。
【００３９】
プリンターエンジン１６０は、印刷データに基づき印刷を行う印刷機構である。カードインターフェース１７０は、カードスロット１７２に挿入されたメモリーカードＭＣとの間でデータのやり取りを行うためのインターフェースである。なお、本実施例では、メモリーカードＭＣに画像データを含む画像ファイルが格納されている。
【００４０】
内部メモリー１２０には、画像処理部２００と、表示処理部３１０と、印刷処理部３２０と、が格納されている。画像処理部２００は、所定のオペレーティングシステムの下で、画像検索・印刷処理を実行するためのコンピュータープログラムである。本実施例の画像検索・印刷処理は、描画像に基づく画像検索を行うと共に、検出された画像の印刷を行う処理である。画像検索・印刷処理については、後に詳述する。
【００４１】
画像処理部２００は、モジュールとして、描画処理部２１０と、履歴描画像処理部２２０と、経過画像処理部２３０と、画像検索部２４０と、印刷画像設定部２５０と、ユーザー情報取得部２６０と、を含んでいる。これら各部の機能については、後述の画像検索・印刷処理の説明において詳述する。
【００４２】
表示処理部３１０は、表示部１５０を制御して、表示部１５０上に処理メニューやメッセージを含むウィンドウ画面、画像等を表示させるディスプレイドライバである。印刷処理部３２０は、画像データから印刷データを生成し、プリンターエンジン１６０を制御して、印刷データに基づく画像の印刷を実行するためのコンピュータープログラムである。ＣＰＵ１１０は、内部メモリー１２０から、これらのプログラム（画像処理部２００、表示処理部３１０、印刷処理部３２０）を読み出して実行することにより、これら各部の機能を実現する。
【００４３】
Ａ−２．画像検索・印刷処理：
図２は、実施例における画像検索・印刷処理の流れを示すフローチャートである。本実施例の画像検索・印刷処理は、画像を検出する画像検索を行い、検出された画像の印刷を行う処理である。画像検索は、画像検索の対象となるターゲット画像の中から、画像の所定の特徴に関して、画像検索における基準としてのクエリー画像との類似度（類似の程度）が大きい画像を検出することにより行われる。より具体的には、画像の所定の特徴に関するクエリー画像とターゲット画像との類似度を表す特徴量距離が算出され、特徴量距離が最大特徴量距離以下のターゲット画像が検出される。本実施例では、クエリー画像が、ユーザー操作に応じて描画された描画像に基づき設定される。また、ターゲット画像は任意に設定可能であるが、本実施例では、メモリーカードＭＣの所定の領域に格納された画像（画像ファイルに含まれる画像データ）がターゲット画像として設定される。
【００４４】
操作部１４０（図１）を介したユーザーからの指示に応じて、画像処理部２００は、画像検索・印刷処理（図２）を開始する。このとき、ユーザー情報取得部２６０は、操作部１４０を介して、ユーザーを識別するユーザー情報を取得する。これにより、ユーザーが特定される。
【００４５】
画像検索・印刷処理（図２）が開始されると、画像処理部２００は、表示処理部３１０を制御して、表示部１５０に初期ウィンドウＷ１を表示させる（ステップＳ１１０）。図３は、初期ウィンドウＷ１の一例を示す説明図である。初期ウィンドウＷ１は、複数の色の異なるカラーボタンを含むカラーパレットボタンＢｕ１１と、複数の径の異なる筆ボタンを含む筆径指定ボタンＢｕ１２と、カラーパレットボタンＢｕ１１や筆径指定ボタンＢｕ１２を利用したユーザーの描画操作に応じて描画像ＤＩを表示する描画像表示領域Ａｒ１０と、描画像表示領域Ａｒ１０の表示をクリアするクリアボタンＢｕ１３と、描画像表示領域Ａｒ１０に表示される描画像ＤＩを１描画操作前の描画像ＤＩに変更する戻るボタンＢｕ１４と、描画像表示領域Ａｒ１０に表示される描画像ＤＩを１描画操作後の描画像ＤＩに変更する進むボタンＢｕ１５と、描画像表示領域Ａｒ１０に表示された画像をクエリー画像として設定するＯＫボタン１６と、が含まれている。ユーザーは、操作部１４０を介して、初期ウィンドウＷ１に含まれる各インターフェースを選択・操作することにより、描画像表示領域Ａｒ１０に所望の画像を描くことができる。なお、この描画処理は、描画処理部２１０（図１）により実現される。
【００４６】
なお、本実施例において、描画操作（「ストローク」とも呼ぶ）の単位は、カラーパレットボタンＢｕ１１において選択された色で、筆径指定ボタンＢｕ１２において選択された径（大きさ・幅）の１つの点または１つの線を描く操作である。従って、操作部１４０がタッチパネルを含む場合、カラーパレットボタンＢｕ１１における所望の色と筆径指定ボタンＢｕ１２における所望の径とが選択された状態で、描画像表示領域Ａｒ１０において、画面の１点を触れる操作や、画面を触れたまま線状になぞった後に離す操作が、１つの描画操作となる。なお、描画操作の単位は、他の単位を採用することも可能であり、例えば、所定時間毎の描画操作が、描画操作の単位として採用されてもよい。また、例えば操作部１４０がマウスを含む場合には、描画像表示領域Ａｒ１０において、マウスをシングルクリックする操作やクリックしたままドラッグした後でクリックを解除する操作が、１つの描画操作となる。
【００４７】
ステップＳ１２０（図２）では、クエリー画像設定処理が行われる。図４は、クエリー画像設定処理の流れを示すフローチャートである。ステップＳ２１０では、描画処理部２１０（図１）が、ユーザーが操作部１４０を介して初期ウィンドウＷ１（図３）に含まれる各インターフェースを選択・操作することにより入力される描画指示を取得する。描画指示を取得した描画処理部２１０は、描画指示に応じて描画像を生成し、表示処理部３１０を制御して、初期ウィンドウＷ１の描画像表示領域Ａｒ１０に描画像ＤＩを表示させる（ステップＳ２２０）。なお、生成された描画像ＤＩは、内部メモリー１２０の所定の領域に一時的に格納される。
【００４８】
描画処理部２１０は、前回の描画指示の取得から所定時間内にさらに描画指示を取得した場合には（ステップＳ２３０：ＹＥＳ）、描画像ＤＩを更新すると共に、表示処理部３１０を制御して描画像表示領域Ａｒ１０に更新された描画像ＤＩを表示させる（ステップＳ２２０）。なお、描画像ＤＩの描画経過の各段階における画像（描画途中の画像）は、経過画像ＰＩ（後述）として、内部メモリー１２０の所定の領域に一時的に格納される。
【００４９】
描画処理部２１０により、前回の描画指示の取得から所定時間内にさらなる描画指示が取得されない場合には（ステップＳ２３０：ＮＯ）、履歴描画像処理部２２０（図１）が、メモリーカードＭＣに格納された履歴描画像ＲＩの中から、画像の所定の特徴に関して、描画像表示領域Ａｒ１０に表示された描画像ＤＩと類似する履歴描画像ＲＩを検索する（ステップＳ２４０）。ここで、履歴描画像ＲＩは、過去に生成され、メモリーカードＭＣの所定の領域に格納された描画像である。後述するように、本実施例では、検索実行（図２のステップＳ１３０）の後に、クエリー画像が履歴描画像ＲＩとしてメモリーカードＭＣに格納される。また、この際、履歴描画像ＲＩはユーザー情報と対応付けて格納される。本実施例における履歴描画像検索の対象は、画像検索・印刷処理開始時に取得されたユーザー情報により特定されるユーザーと同一のユーザーを示すユーザー情報に対応付けられた履歴描画像ＲＩである。すなわち、ステップＳ２４０では、現在のユーザーと同一のユーザーによって過去に描かれた描画像（履歴描画像ＲＩ）の中から、今回描いた描画像と類似するものを検出する処理が実行される。なお、描画像ＤＩに類似する履歴描画像ＲＩの検索は、公知の画像検索方法を用いて実行される。また、画像検索に用いられる所定の特徴としては、例えば、カラーヒストグラムや、Ｈａａｒウェーブレット係数が利用される。
【００５０】
履歴描画像処理部２２０は、表示処理部３１０を制御して、検索により検出された履歴描画像ＲＩを初期ウィンドウＷ１の履歴描画像表示領域Ａｒ２０に表示させる（ステップＳ２４０）。図５には、履歴描画像ＲＩが表示された初期ウィンドウＷ１の一例を示している。図５に示すように、初期ウィンドウＷ１には、描画像表示領域Ａｒ１０に表示された描画像ＤＩに類似するとして検出された履歴描画像ＲＩを表示するための履歴描画像表示領域Ａｒ２０が新たに表示される。履歴描画像表示領域Ａｒ２０には、描画像ＤＩとの類似度の高い順に履歴描画像ＲＩが一覧表示される。なお、履歴描画像表示領域Ａｒ２０に表示しきれない数の履歴描画像ＲＩが検出された場合には、スクロール等により履歴描画像ＲＩの表示切り替えが可能となっている。また、履歴描画像表示領域Ａｒ２０には、各履歴描画像ＲＩに対応して経過画像表示ボタンＢｕ２１も表示される。経過画像表示ボタンＢｕ２１については後述する。
【００５１】
履歴描画像ＲＩの表示後に、描画処理部２１０により描画指示が取得された場合には（ステップＳ２５０：ＹＥＳ）、描画処理部２１０が、描画像ＤＩを更新すると共に、表示処理部３１０を制御して描画像表示領域Ａｒ１０に更新された描画像ＤＩを表示させる（ステップＳ２２０）。この場合にも、描画指示の取得から所定時間内にさらなる描画指示が取得されない場合には（ステップＳ２３０：ＮＯ）、更新された描画像ＤＩを基準として履歴描画像ＲＩの検索が行われ、検出された履歴描画像ＲＩが表示される（ステップＳ２４０）。
【００５２】
ユーザーは、操作部１４０を介して、履歴描画像表示領域Ａｒ２０に表示された履歴描画像ＲＩの１つを選択することにより、履歴描画像選択指示を入力することができる。入力された履歴描画像選択指示が履歴描画像処理部２２０により取得されると（ステップＳ２６０：ＹＥＳ）、描画処理部２１０が、表示処理部３１０を制御して、描画像表示領域Ａｒ１０の表示画像を、選択された履歴描画像ＲＩに更新させる（ステップＳ２２０）。図６には、選択された履歴描画像ＲＩが描画像ＤＩとして描画像表示領域Ａｒ１０に表示された初期ウィンドウＷ１の一例を示している。
【００５３】
なお、選択された履歴描画像ＲＩが描画像表示領域Ａｒ１０に表示された場合にも、所定時間内にさらなる描画指示が取得されない場合には（ステップＳ２３０：ＮＯ）、更新された描画像ＤＩ（すなわち選択された履歴描画像ＲＩ）を基準として履歴描画像ＲＩの検索が行われ、検出された履歴描画像ＲＩが表示される（ステップＳ２４０）。また、更新された描画像ＤＩ（選択された履歴描画像ＲＩ）をベースとしてさらに描画を行う描画指示が取得された場合には（ステップＳ２５０：ＹＥＳ）、描画処理部２１０が、描画像ＤＩをさらに更新すると共に、表示処理部３１０を制御して描画像表示領域Ａｒ１０に更新された描画像ＤＩを表示させる（ステップＳ２２０）。
【００５４】
ユーザーは、操作部１４０を介して、履歴描画像表示領域Ａｒ２０に表示された経過画像表示ボタンＢｕ２１を選択することにより、経過画像表示指示を入力することができる。入力された経過画像表示指示が経過画像処理部２３０（図１）により取得されると（ステップＳ２７０：ＹＥＳ）、経過画像処理部２３０が、経過画像表示ボタンＢｕ２１に対応する履歴描画像ＲＩの経過画像ＰＩを検出し、表示処理部３１０を制御して、初期ウィンドウＷ１の経過画像表示領域Ａｒ３０に経過画像ＰＩを表示させる（ステップＳ２８０）。図７には、選択された経過画像表示ボタンＢｕ２１に対応する履歴描画像ＲＩについての経過画像ＰＩが経過画像表示領域Ａｒ３０に表示された初期ウィンドウＷ１の一例を示している。ここで、経過画像ＰＩは、履歴描画像ＲＩの描画経過の各段階における画像、すなわち、描画途中の画像である。本実施例では、履歴描画像ＲＩの描画経過の各段階としての各描画操作（ストローク）終了時における描画像を、経過画像ＰＩとしている。図７に示すように、経過画像表示領域Ａｒ３０には、履歴描画像ＲＩの描画経過に従った複数の経過画像ＰＩが表示される。
【００５５】
ユーザーは、操作部１４０を介して、経過画像表示領域Ａｒ３０に表示された経過画像ＰＩの１つを選択することにより、経過画像選択指示を入力することができる。入力された経過画像選択指示が経過画像処理部２３０により取得されると（ステップＳ２９０：ＹＥＳ）、描画処理部２１０が、表示処理部３１０を制御して、描画像表示領域Ａｒ１０の表示画像を、選択された経過画像ＰＩに更新させる（ステップＳ２２０）。図８には、選択された経過画像ＰＩが描画像ＤＩとして描画像表示領域Ａｒ１０に表示された初期ウィンドウＷ１の一例を示している。
【００５６】
なお、選択された経過画像ＰＩが描画像表示領域Ａｒ１０に表示された場合にも、所定時間内にさらなる描画指示が取得されない場合には（ステップＳ２３０：ＮＯ）、更新された描画像ＤＩ（すなわち選択された経過画像ＰＩ）を基準として履歴描画像ＲＩの検索が行われ、検出された履歴描画像ＲＩが表示される（ステップＳ２４０）。また、更新された描画像ＤＩ（選択された経過画像ＰＩ）をベースとしてさらに描画を行う描画指示が取得された場合には（ステップＳ２５０：ＹＥＳ）、描画処理部２１０が、描画像ＤＩをさらに更新すると共に、表示処理部３１０を制御して描画像表示領域Ａｒ１０に更新された描画像ＤＩを表示させる（ステップＳ２２０）。
【００５７】
ユーザーは、描画像表示領域Ａｒ１０に所望の描画像が表示された状態で、操作部１４０を介してＯＫボタンＢｕ１６を選択することにより、検索開始指示を入力することができる。入力された検索開始指示が画像検索部２４０により取得されると（ステップＳ３００）、画像検索部２４０は、描画像表示領域Ａｒ１０に表示された描画像を、画像検索の基準となるクエリー画像として設定する（ステップＳ３１０）。
【００５８】
クエリー画像設定処理（図４）が完了すると、画像検索部２４０（図１）は、設定されたクエリー画像に基づき画像検索を実行する（図２のステップＳ１３０）。本実施例における画像検索は、メモリーカードＭＣの所定の領域に格納された画像をターゲット画像とし、ターゲット画像の中から、画像の所定の特徴に関してクエリー画像との類似度（類似の程度）が大きい画像を検出することにより行われる。なお、画像検索は、公知の画像検索方法を用いて実行される。また、画像検索に用いられる所定の特徴としては、例えば、カラーヒストグラムや、Ｈａａｒウェーブレット係数が利用される。
【００５９】
また、クエリー画像設定処理（図４）が完了すると、履歴描画像処理部２２０（図１）は、設定されたクエリー画像を、履歴描画像ＲＩとして、メモリーカードＭＣの所定の領域に格納する（ステップＳ１４０）。また、この際、クエリー画像（履歴描画像ＲＩ）はユーザー情報と対応付けて格納される。また、クエリー画像について経過画像ＰＩが存在する場合には、経過画像ＰＩも当該クエリー画像に対応付けて格納される。
【００６０】
画像検索が完了すると、画像処理部２００（図１）は、表示処理部３１０を制御して、表示部１５０に検索結果ウィンドウＷ２を表示させる（ステップＳ１５０）。図９は、検索結果ウィンドウＷ２の一例を示す説明図である。検索結果ウィンドウＷ２は、画像検索において検出されたターゲット画像（検出画像ＤｅＩ）を一覧表示するためのウィンドウである。すなわち、図９に示すように、検索結果ウィンドウＷ２には、クエリー画像表示エリアＡｒ６１に加えて、検出画像表示エリアＡｒ６２が含まれている。検出画像表示エリアＡｒ６２には、検出画像ＤｅＩがクエリー画像との総合的な類似度を表すランク順（スコアの小さい順）に並べて表示される。
【００６１】
検索結果ウィンドウＷ２（図９）には、印刷指定エリアＡｒ６３が含まれている。ユーザーは、検索結果ウィンドウＷ２において、例えば検出画像ＤｅＩのアイコンを印刷指定エリアＡｒ６３にドラッグアンドドロップして、印刷指定エリアＡｒ６３に検出画像ＤｅＩのアイコンＩＣを表示させることにより、印刷すべき検出画像ＤｅＩを指定することができる（図２のステップＳ１６０）。図９の例では、２つの検出画像ＤｅＩが印刷すべき画像に指定されている。印刷指定エリアＡｒ６３には、印刷実行ボタンＢｕ６４と印刷指定解除ボタンＢｕ６５とが含まれている。ユーザーは、印刷指定エリアＡｒ６３に表示された画像のアイコンＩＣを選択すると共に印刷指定解除ボタンＢｕ６５を選択することにより（または画像のアイコンＩＣを印刷指定解除ボタンＢｕ６５上にドラッグアンドドロップすることにより）、当該画像の印刷指定を解除することができる。また、ユーザーは、印刷実行ボタンＢｕ６４を選択することにより、印刷指定エリアＡｒ６３に表示されたアイコンＩＣに対応する検出画像ＤｅＩの印刷実行開始を指示することができる。印刷実行開始が指示されると、印刷処理部３２０（図１）は、指定された検出画像ＤｅＩの画像データに基づき印刷データを生成し、プリンターエンジン１６０を制御して、検出画像ＤｅＩの印刷を実行する（図２のステップＳ１７０）。
【００６２】
以上説明したように、本実施例のプリンター１００による画像検索・印刷処理では、生成・更新された描画像ＤＩに類似する履歴描画像ＲＩの検索を行い、検出された履歴描画像ＲＩに基づきクエリー画像を設定して画像検索を行うことができるため、描画像に基づく画像検索を行う画像処理においてユーザー利便性を向上させることができる。すなわち、例えば、本実施例の画像検索・印刷処理では、過去の画像検索において利用されたクエリー画像が履歴描画像ＲＩとして保存されるため、当該クエリー画像を検出し、再度クエリー画像に設定して画像検索を行うことにより、過去の画像検索において検出された画像を再度検出することができる。
【００６３】
なお、本実施例では、前回の描画指示の取得から所定時間内にさらなる描画指示が取得されない場合に、履歴描画像ＲＩの検索・表示が実行されるため、ユーザーは、履歴描画像ＲＩの検索を希望する場合には、所定時間だけ描画操作を停止すればよい。すなわち、本実施例では、ユーザーが履歴描画像ＲＩの検索を希望していない段階での履歴描画像ＲＩの検索実行を抑制することができるため、処理負担の軽減、処理の効率化を図ることができる。
【００６４】
また、本実施例の画像検索・印刷処理では、検出され選択された履歴描画像ＲＩをベースとしてさらに描画を行うことにより生成された新たな描画像をクエリー画像に設定して画像検索を行うことができる。そのため、例えば、過去の画像検索において利用されたクエリー画像に変更を加えた画像を新たなクエリー画像とすることができ、描画像に基づく画像検索を行う画像処理においてユーザー利便性を向上させることができる。
【００６５】
また、本実施例の画像検索・印刷処理では、検出され選択された経過画像ＰＩをベースとしてさらに描画を行うことにより生成された新たな描画像をクエリー画像に設定して画像検索を行うことができる。そのため、例えば、過去の画像検索において利用されたクエリー画像の描画途中の画像（経過画像ＰＩ）をベースとして描画を行うことにより新たなクエリー画像を設定することができ、描画像に基づく画像検索を行う画像処理においてユーザー利便性を向上させることができる。
【００６６】
また、本実施例の画像検索・印刷処理では、現在のユーザーと同一のユーザーによって過去に描かれた履歴描画像ＲＩを対象として履歴描画像ＲＩの検索が行われるため、所望のクエリー画像を効率的に設定することができ、描画像に基づく画像検索を行う画像処理においてユーザー利便性を向上させることができる。
【００６７】
Ｂ．変形例：
なお、この発明は上記の実施例や実施形態に限られるものではなく、その要旨を逸脱しない範囲において種々の態様において実施することが可能であり、例えば次のような変形も可能である。
【００６８】
Ｂ１．変形例１：
上記実施例では、初期ウィンドウＷ１の履歴描画像表示領域Ａｒ２０に履歴描画像ＲＩが一覧表示されるとしているが（図５参照）、履歴描画像ＲＩの表示方法は、種々変更可能である。図１０は、変形例における初期ウィンドウＷ１ａの一例を示す説明図である。図１０に示す初期ウィンドウＷ１ａでは、検出された履歴描画像ＲＩが描画像表示領域Ａｒ１０に描画像ＤＩと重ねて表示される。なお、重なった描画像ＤＩと履歴描画像ＲＩとが互いに識別可能となるように、履歴描画像ＲＩはうすく表示される。また、初期ウィンドウＷ１ａには、候補選択ボタンＢｕ１７と次候補ボタンＢｕ１８と前候補ボタンＢｕ１９とが含まれている。複数の履歴描画像ＲＩが検出された場合には、例えば、描画像ＤＩとの類似度の最も高い履歴描画像ＲＩが最初に表示され、次候補ボタンＢｕ１８や前候補ボタン１９の選択により、履歴描画像ＲＩの表示切り替えが行われる。また、候補選択ボタンＢｕ１７により履歴描画像ＲＩの選択指示が行われる。
【００６９】
Ｂ２．変形例２：
上記実施例では、履歴描画像ＲＩの検索は、画像検索・印刷処理開始時に取得されたユーザー情報により特定されるユーザーと同一のユーザーを示すユーザー情報に対応付けられた履歴描画像ＲＩを対象に実行されるとしているが、ユーザーが同一であるか否かに関わらずメモリーカードＭＣに格納されたすべての履歴描画像ＲＩを対象として履歴描画像ＲＩの検索が実行されるものとしてもよい。このようにすれば、他のユーザーにより描画された描画像を含めて、過去の画像検索においてクエリー画像として利用された履歴描画像ＲＩを再度クエリー画像に設定して画像検索を行うことができ、クエリー画像設定の効率化を図ることができ、描画像に基づく画像検索を行う画像処理においてユーザー利便性を向上させることができる。なお、この場合には、画像検索・印刷処理の開始時にユーザー情報が取得される必要はないし、履歴描画像ＲＩがユーザー情報と対応付けられている必要もない。
【００７０】
また、ユーザーが同一であるか否かに関わらずメモリーカードＭＣに格納されたすべての履歴描画像ＲＩを対象として履歴描画像ＲＩの検索が実行される場合に、検出された履歴描画像ＲＩを当該履歴描画像ＲＩを描いたユーザーが識別可能に表示されるとしてもよい。例えば、履歴描画像表示領域Ａｒ２０における履歴描画像ＲＩの表示の際に、背景色をユーザーに応じた色に設定したり、履歴描画像ＲＩの隣や上にユーザーの情報を表示したりしてもよい。
【００７１】
また、メモリーカードＭＣに格納された履歴描画像ＲＩは、メモリーカードＭＣ等の記憶媒体やＬＡＮ等のネットワークを介して、ユーザー間や装置間で授受可能であるとしてもよい。
【００７２】
Ｂ３．変形例３：
上記実施例では、画像の所定の特徴に関して、描画像ＤＩと類似する履歴描画像ＲＩの検索が行われるが、履歴描画像ＲＩの検索の際に参照される画像の所定の特徴は、完成された画像の特徴に限られず、描画経過における特徴であってもよい。描画経過における特徴としては、例えば、描画操作の特徴が挙げられる。図１１は、描画操作の特徴を示す説明図である。図１１（ａ）には、例えばマウスといった入力デバイスを利用した１描画操作により描かれた線における描画操作の方向を矢印で示すと共に、一定時間経過毎の入力デバイスの入力位置を黒点で示している。図１１（ｂ）には、図１１（ａ）に示した描画操作の特徴の一例として、経過時間毎の入力位置を示している。図１１（ｂ）に示すように、描画像と履歴描画像ＲＩとで経過時間毎の入力位置を比較することにより、描画操作の特徴の類似度を得ることができる。描画操作には、各人の癖（線を描く方向・速度等）が表れることが多いと考えられる。このような描画操作の特徴の類似度を用いて履歴描画像ＲＩの検索を行うことにより、ユーザーが所望する履歴描画像ＲＩをより精度良く効率的に検出することができる。このような履歴描画像ＲＩの検索方法は、描画操作における一定時間経過毎の入力位置を記憶することにより実現可能である。なお、図１１（ｂ）には、例えば縦方向に沿った入力位置を表す二次元グラフを示してしているが、実際には、横方向に沿った入力位置を表す軸を加えた三次元グラフを用いて描画操作の特徴の類似度を比較することができる。このような描画経過における特徴を利用した履歴描画像ＲＩの検索方法は、履歴描画像ＲＩの検索が、画像検索・印刷処理開始時に取得されたユーザー情報により特定されるユーザーと同一のユーザーを示すユーザー情報に対応付けられた履歴描画像ＲＩを対象に実行される場合にのみ採用され、ユーザーが同一であるか否かに関わらずメモリーカードＭＣに格納されたすべての履歴描画像ＲＩを対象として履歴描画像ＲＩの検索が実行される場合には採用されないとしてもよい。
【００７３】
Ｂ４．変形例４：
上記実施例では、初期ウィンドウＷ１（図３）においてクエリー画像を設定した後、ＯＫボタン１６が選択されると、画像検索が実行されるとしているが、画像検索の実行タイミングは任意に設定可能である。例えば所定時間経過毎に、描画像表示領域Ａｒ１０に表示されている描画像をクエリー画像として画像検索が実行されるとしてもよい。この場合には、画像検索が実行されると、図１２に示すように、初期ウィンドウＷ１ｂに検出画像表示領域Ａｒ４０が表示され、検出画像表示領域Ａｒ４０に検出画像ＤｅＩが一覧表示される。このようにすれば、描画から画像検索までの一連の処理結果を１つのウィンドウにおいて表示することができ、描画像に基づく画像検索を行う画像処理においてユーザー利便性を向上させることができる。
【００７４】
また、図１３に示すように、初期ウィンドウＷ１ｃの履歴描画像表示領域Ａｒ２０に、各履歴描画像ＲＩに対応する画像検索開始指示ボタンＢｕ２２が表示され、ユーザーにより画像検索開始指示ボタンＢｕ２２が選択されると、対応する履歴描画像ＲＩをクエリー画像とする画像検索が実行され、検出画像表示領域Ａｒ４０に検出画像ＤｅＩが一覧表示されるとしてもよい。
【００７５】
Ｂ５．変形例５：
上記実施例では、前回の描画指示の取得から所定時間内にさらなる描画指示が取得されない場合に、履歴描画像ＲＩの検索・表示が実行されるとしているが、各描画操作の完了後すぐに履歴描画像ＲＩの検索・表示が実行されるとしてもよい。
【００７６】
また、上記実施例では、経過画像ＰＩの検出・表示が可能となっているが、必ずしも経過画像ＰＩの検出・表示が可能である必要はない。
【００７７】
また、上記実施例における操作部１４０は、ボタンやタッチパネルにより構成されるとしているが、操作部１４０が他の入力デバイス（マウス、ペンタブレット等）により構成されるとしてもよい。
【００７８】
また、上記実施例では、メモリーカードＭＣに格納された画像（画像データ（画像ファイル））をターゲット画像として画像検索・印刷処理が実行されるとしているが、画像検索・印刷処理におけるターゲット画像は任意に設定可能である。例えば、内部メモリー１２０（図１）の所定の領域に格納された画像がターゲット画像として設定されるとしてもよいし、プリンター１００とケーブルやネットワークを介して接続された他の機器の有する記憶領域に格納された画像がターゲット画像として設定されるとしてもよい。
【００７９】
同様に、上記実施例では、履歴描画像ＲＩや経過画像ＰＩがメモリーカードＭＣに格納され、メモリーカードＭＣに格納された履歴描画像ＲＩや経過画像ＰＩを対象として履歴描画像ＲＩや経過画像ＰＩの検索が行われるとしているが、履歴描画像ＲＩや経過画像ＰＩの格納領域は、内部メモリー１２０の所定の領域であってもよいし、プリンター１００とケーブルやネットワークを介して接続された他の機器の有する記憶領域であってもよい。
【００８０】
また、上記実施例における初期ウィンドウＷ１や検索結果ウィンドウＷ２の内容やレイアウトは、あくまで一例であり、種々変形が可能である。
【００８１】
また、上記実施例における画像処理装置としてのプリンター１００の構成はあくまで一例であり、プリンター１００の構成は種々変更可能である。また、上記実施例では、画像処理装置としてのプリンター１００による画像検索・印刷処理を説明したが、処理の一部または全部がサーバーやパーソナルコンピューター、デジタルスチルカメラ、デジタルビデオカメラ等の他の種類の画像処理装置により実行されるものとしてもよい。また、プリンター１００はインクジェットプリンターに限らず、他の方式のプリンター、例えばレーザプリンターや昇華型プリンターであるとしてもよい。
【００８２】
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００８３】
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【符号の説明】
【００８４】
１００…プリンター
１１０…ＣＰＵ
１２０…内部メモリー
１４０…操作部
１５０…表示部
１６０…プリンターエンジン
１７０…カードインターフェース
１７２…カードスロット
２００…画像処理部
２１０…描画処理部
２２０…履歴描画像処理部
２３０…経過画像処理部
２４０…画像検索部
２５０…印刷画像設定部
２６０…ユーザー情報取得部
３１０…表示処理部
３２０…印刷処理部
【図１】
2011008521.tif 000003
【図２】
2011008521.tif 000004
【図３】
2011008521.tif 000005
【図４】
2011008521.tif 000006
【図５】
2011008521.tif 000007
【図６】
2011008521.tif 000008
【図７】
2011008521.tif 000009
【図８】
2011008521.tif 000010
【図９】
2011008521.tif 000011
【図１０】
2011008521.tif 000012
【図１１】
2011008521.tif 000013
【図１２】
2011008521.tif 000014
【図１３】
2011008521.tif 000015